(57)【要約】【課題】丈夫で、通気性の良いイヤーパッドを提供する。【解決手段】スピーカが内蔵されたイヤホン装置に取り付けられるイヤーパッド１であって、スピーカからの音を通すように貫通して形成された音孔１０Ａが設けられた本体部１０と、本体部１０と同一の材料からなり、本体部１０の淵から本体部１０の外側に向かう方向に突出して形成された、１つの突起１１と、本体部１０と同一の材料からなり、突起１１の、本体部１０の淵とは逆側の端部である、外側の端部に設けられ、本体部１０を取り囲むように形成された取り囲み部１２と、を備える。【選択図】図２
2014207617.tif 000002
【特許請求の範囲】
【請求項１】
スピーカが内蔵されたイヤホン装置に取り付けられるイヤーパッドであって、
前記スピーカからの音を通すように貫通して形成された音孔が設けられた本体部と、
前記本体部と同一の材料からなり、前記本体部の淵から前記本体部の外側に向かう方向に突出して形成された、１つの突起と、
前記本体部と同一の材料からなり、前記突起の、前記本体部の前記淵とは逆側の端部である、外側の端部に設けられ、前記本体部を取り囲むように形成された取り囲み部と、を備える
イヤーパッド。
【請求項２】
前記取り囲み部は、前記本体部の前記淵から前記本体部の前記外側に向かう力を有する
請求項１に記載のイヤーパッド。
【請求項３】
前記本体部は、略円筒形状とされており、
前記突起が、前記本体部の前記淵から前記本体部の径方向外側に向けて突出している
請求項１又は２に記載のイヤーパッド。
【請求項４】
前記本体部は、
前記イヤーパッドをユーザの耳孔に嵌めたときに、前記ユーザの外耳道入口に接近し、且つ前記音孔が形成された接近面を有している
請求項１〜３のいずれか１項に記載のイヤーパッド。
【請求項５】
前記突起及び前記取り囲み部は、前記イヤーパッドを前記イヤホン装置に取り付けた状態で、前記接近面よりも前記イヤホン装置側に位置するよう形成されている
請求項４に記載のイヤーパッド。
【請求項６】
前記取り囲み部は、前記イヤーパッドをユーザの耳に装着したときに、耳甲介腔に対応する位置に形成されている
請求項１〜５のいずれか１項に記載のイヤーパッド。
【請求項７】
スピーカが内蔵されたイヤホン装置に取り付けられるイヤーパッドであって、
前記スピーカからの音を通すように貫通して形成された音孔が設けられた本体部と、
前記本体部と同一の材料からなり、前記本体部に設けられた少なくとも３つの突起と、を備える
イヤーパッド。
【請求項８】
前記各突起は、前記本体部の淵から前記本体部の外側に向かう方向に突出して形成されている
請求項７に記載のイヤーパッド。
【請求項９】
さらに、
前記本体部と同一の材料からなり、前記突起の、前記本体部の淵とは逆側の端部である、外側の端部に設けられ、前記本体部を取り囲むように形成された取り囲み部を備える
請求項８に記載のイヤーパッド。
【請求項１０】
前記本体部は、略円筒形状とされており、
前記各突起が、前記本体部の前記淵から前記本体部の径方向外側に向けて突出している
請求項８又は９のいずれか１項に記載のイヤーパッド。
【請求項１１】
前記本体部は、
前記イヤーパッドをユーザの耳孔に嵌めたときに、前記ユーザの外耳道入口に接近し、且つ前記音孔が形成された接近面を有している
請求項７〜１０のいずれか１項に記載のイヤーパッド。
【請求項１２】
前記突起は、弾性部材で構成されている
請求項７〜１１のいずれか１項に記載のイヤーパッド。
【請求項１３】
前記３つの突起のうち少なくとも１つは、ユーザの耳甲介腔に対応する位置に形成されている
請求項７〜１２のいずれか１項に記載のイヤーパッド。
【請求項１４】
さらに、少なくとも２つの前記突起を連結する連結部を備え、
前記連結部は弾性部材からなる
請求項７〜１３のいずれか１項に記載のイヤーパッド。
【請求項１５】
前記突起は、前記本体部の前記接近面から垂直方向に向かう構成である
請求項１１に記載のイヤーパッド。
【請求項１６】
請求項１〜１５のいずれか１項に記載のイヤーパッドを備えたイヤホン装置。
【発明の詳細な説明】
【技術分野】
【０００１】
本発明は、イヤーパッド、及びこれを備えたイヤホン装置に関する。
【背景技術】
【０００２】
図１２は、従来のイヤホン装置を示す図である。イヤホン装置２は縦長の略直方体状の本体部２００を備える。本体部２００には、スピーカが内蔵された凸部２０が形成されており、凸部２０には、スピーカからの音を通す音孔が形成されている。
【０００３】
ユーザは、イヤホン装置２を使用する際には、イヤホン装置２の凸部２０にイヤーパッド１を取り付けて、その状態で、イヤホン装置２の凸部２０を耳に取り付ける。これにより、イヤホン装置２からの音を聞くことができる。
【０００４】
図１３は、従来のイヤーパッドの構成を示す斜視図である。このイヤーパッド１００は、本体部１０１を備える。本体部１０１の中心には音孔１０１Ａが形成されている。また、本体部１０１の表面には、イヤーパッド１００をユーザの耳に嵌めたときに、ユーザの外耳道の入口に接近する接近面１０１Ｓが形成されている。
【０００５】
イヤーパッド１００の裏側には、イヤホン装置２の凸部２０（図１２参照）が嵌まり込む開口１０１Ｂが形成されている。ユーザは、イヤーパッド１００の開口１０１Ｂをイヤホン装置２の凸部２０にはめ込み、その状態で、イヤーパッド１００の接近面１０１Ｓを外耳道入口に接近させる。これにより、スピーカからの音が、イヤホン装置２の凸部の音孔と、イヤーパッド１００の音孔１０１Ａを通じて、ユーザの耳に到達する。
【０００６】
ところが、イヤーパッド１００の接近面１０１Ｓを外耳道入口に接近させたままだと、音孔１０１Ａからの音が耳の外部に流れにくいので、ユーザが平衡感覚を失いやすい。また、外耳道入口と耳外部との間における空気の通気性が良くないため、ユーザが耳に閉塞感を感じやすい。
【０００７】
そこで、従来では、図１３に示すように、接近面１０１Ｓに、音孔１０１Ａからの音を外部へ逃がすスリット１０２が形成されている。このようにスリット１０２を設けると、音孔１０１Ａからの音が外部へ逃げるので、ユーザは平衡感覚を失いにくい。また、空気の通気性が良くなるため、耳に閉塞感を感じにくい。このように、接近面にスリットを設けた技術が、特許文献１に開示されている。
【０００８】
また、特許文献２では、耳挿入部の外周面に、起立すると拡径し傾倒すると縮径する複数本の細糸状部材が設けられており、特許文献３では、カナル型のイヤホン装置本体の外周部に凹凸が設けられている。特許文献２及び３は、耳内部と耳外部との間の通気性を良くして、ユーザが耳に閉塞感を感じにくいようにしている。
【先行技術文献】
【特許文献】
【０００９】
【特許文献１】特表２００８−５２１３２０号公報
【特許文献２】特開２００９−４９８４１号公報
【特許文献３】登録実用新案第３１６１０１１号公報
【発明の概要】
【発明が解決しようとする課題】
【００１０】
ところが、特許文献１のように、接近面にスリットを形成すると、スリットを形成した分だけイヤーパッド本体の厚みが小さくなるため、イヤーパッド本体が破断するおそれがある。
【００１１】
また、特許文献２のように、耳挿入部の外周面に複数本の細糸状部材を設ける場合は、耳挿入部と細糸状部材とを別の材料で構成しているため、製造性が良くなく、コストアップとなりやすい。
【００１２】
さらに、特許文献３のように、イヤホン装置本体の外周部に凹凸を設けても、イヤホン装置そのものが、外耳道に直接挿入するカナル型であるため、オープンイヤー型に比べると、通気性が良くない。
【００１３】
本発明は、上述の課題を解決するためになされたものであり、丈夫で、通気性の良いイヤーパッドを提供することを目的とする。
【課題を解決するための手段】
【００１４】
上記目的を達成するために、本発明の一態様に係るイヤーパッドは、スピーカが内蔵されたイヤホン装置に取り付けられるイヤーパッドであって、前記スピーカからの音を通すように貫通して形成された音孔が設けられた本体部と、前記本体部と同一の材料からなり、前記本体部の淵から前記本体部の外側に向かう方向に突出して形成された、１つの突起と、  前記本体部と同一の材料からなり、前記突起の、前記本体部の前記淵とは逆側の端部である、外側の端部に設けられ、前記本体部を取り囲むように形成された取り囲み部と、を備える。
【００１５】
この構成によると、イヤーパッドの本体部の淵からは、本体部の外側に向かって突出した１つの突起と、当該突起に、本体部を取り囲むようにして形成された取り囲み部とを備えるので、本体部と、取り囲み部との間に、空気流通路が形成される。
【００１６】
その結果、通気性が向上する。また、本体部の音孔を通じて流れてきた音は、空気流通路を通って耳の外側へ流れるので、ユーザが平衡感覚を失いにくくすることができる。
【００１７】
また、イヤーパッド本体部、突起、及び取り囲み部はすべて同一の材料から形成されているので、イヤーパッドを一体成型することができ、製造性が良く、コストを低減することができる。
【００１８】
さらに、本体部には、スリットを形成する等の加工を何ら加えないので、本体部の剛性を維持できる。
【００１９】
よって、丈夫で、通気性の良いイヤーパッドを低コストで提供することができる。
【００２０】
また、前記取り囲み部は、前記本体部の前記淵から前記本体部の前記外側に向かう力を有してもよい。
【００２１】
この構成によると、取り囲み部は、本体部の淵から本体部の外側に向かう力を有するので、イヤーパッドの耳における保持力が向上する。よって、イヤーパッドの装着性を向上することができる。
【００２２】
また、前記本体部は、略円筒形状とされており、前記突起が、前記本体部の前記淵から前記本体部の径方向外側に向けて突出していてもよい。
【００２３】
この構成によると、本体部は、略円筒形状とされており、突起が、本体部の淵から本体部の径方向外側に向けて突出している。そのため、イヤーパッドを耳に嵌めたとき、突起によってイヤーパッドが耳に保持されるため、装着性を向上させることができる。
【００２４】
また、前記本体部は、前記イヤーパッドをユーザの耳孔に嵌めたときに、前記ユーザの外耳道入口に接近し、且つ前記音孔が形成された接近面を有していてもよい。
【００２５】
この構成によると、本体部は、イヤーパッドをユーザの耳孔に嵌めたときに、ユーザの外耳道入口に接近し、且つ音孔が形成された接近面を有するので、イヤーパッドを耳孔に嵌めたとき、イヤホン装置から出力された音声がユーザの鼓膜に到達しやすい。そのため、イヤホン装置からの音声が聞こえやすくなる。
【００２６】
また、前記突起及び前記取り囲み部は、前記イヤーパッドを前記イヤホン装置に取り付けた状態で、前記接近面よりも前記イヤホン装置側に位置するよう形成されていてもよい。
【００２７】
この構成によると、突起及び取り囲み部は、イヤーパッドをイヤホン装置に取り付けた状態で、接近面よりもイヤホン装置側に位置するよう形成されている。
【００２８】
そのため、イヤーパッドを耳に嵌めたとき、ユーザの外耳道周辺に位置する各部位（例えば、耳珠、耳甲介腔、耳甲介舟）に取り囲み部が位置することになり、イヤーパッドの装着性を向上させることができる。
【００２９】
また、前記取り囲み部は、前記イヤーパッドをユーザの耳に装着したときに、耳甲介腔に対応する位置に形成されていてもよい。
【００３０】
この構成によると、イヤーパッドをユーザの耳に装着したときには、取り囲み部がユーザの耳甲介腔に嵌まり込むので、イヤーパッドの装着性をより向上させることができる。
【００３１】
また、本発明の他の態様に係るイヤーパッドは、スピーカが内蔵されたイヤホン装置に取り付けられるイヤーパッドであって、前記スピーカからの音を通すように貫通して形成された音孔が設けられた本体部と、前記本体部と同一の材料からなり、前記本体部に設けられた少なくとも３つの突起と、を備える。
【００３２】
この構成によると、本体部と少なくとも３つの突起とを一体形成によって形成することによって、ユーザの外耳道入口と耳外部との間における空気流通孔を形成することができるので、通気性の良いイヤーパッドを低コストで提供することができる。
【００３３】
また、前記各突起は、前記本体部の淵から前記本体部の外側に向かう方向に突出して形成されていてもよい。
【００３４】
この構成によると、各突起は、本体部の淵から本体部の外側に向かう方向に突出して形成されている。
【００３５】
そのため、イヤーパッドを耳に嵌めたとき、突起によって、外耳道入口と耳の外側とを繋ぐ空気流通路が形成されるので、通気性を向上させることができる。
【００３６】
さらに、前記本体部と同一の材料からなり、前記突起の、前記本体部の淵とは逆側の端部である、外側の端部に設けられ、前記本体部を取り囲むように形成された取り囲み部を備えていてもよい。
【００３７】
この構成によると、突起の端部には、本体部を取り囲むように取り囲み部が形成されているので、突起が直接耳に当たる場合よりも、イヤーパッドの装着性を向上させることができる。
【００３８】
また、前記本体部は、略円筒形状とされており、前記各突起が、前記本体部の前記淵から前記本体部の径方向外側に向けて突出していてもよい。
【００３９】
この構成によると、本体部は、略円筒形状とされており、各突起が、本体部の淵から本体部の径方向外側に向けて突出している。そのため、イヤーパッドを耳に嵌めたとき、各突起によってイヤーパッドが耳に保持されるため、装着性を向上させることができる。
【００４０】
また、前記本体部は、前記イヤーパッドをユーザの耳孔に嵌めたときに、前記ユーザの外耳道入口に接近し、且つ前記音孔が形成された接近面を有していてもよい。
【００４１】
この構成によると、本体部は、イヤーパッドをユーザの耳孔に嵌めたときに、ユーザの外耳道入口に接近し、且つ音孔が形成された接近面を有するので、イヤーパッドを耳孔に嵌めたとき、イヤホン装置から出力された音声がユーザの鼓膜に到達しやすい。そのため、イヤホン装置からの音声が聞こえやすくなる。
【００４２】
また、前記突起は、弾性部材で構成されていてもよい。
【００４３】
この構成によると、突起は弾性部材から構成されているので、耳への装着性を向上させることができる。
【００４４】
また、前記３つの突起のうち少なくとも１つは、ユーザの耳甲介腔に対応する位置に形成されていてもよい。
【００４５】
この構成によると、少なくとも１つの突起がユーザの耳甲介腔に嵌まり込むので、より耳への装着性を向上させることができる。
【００４６】
さらに、少なくとも２つの前記突起を連結する連結部を備え、前記連結部は弾性部材からなってもよい。
【００４７】
この構成によると、少なくとも２つの突起は、弾性部材からなる連結部で連結されているので、連結部がバネのように機能する。これにより、耳への装着性をより向上させることができる。
【００４８】
また、前記突起は、前記本体部の前記接近面から垂直方向に向かう構成であってもよい。
【００４９】
この構成によると、イヤーパッドを耳に嵌めたときに、突起が、本体部の接近面から外耳道の入口に向かう、そのため、突起によって、ユーザの外耳道入口と耳の外部とを繋ぐ空気流通路が形成されるので、通気性が向上する。また、本体部の音孔を通じて流れてきた音は、空気流通路を通って耳の外側へ流れるので、ユーザが平衡感覚を失いにくくすることができる。
【００５０】
また、本発明の他の態様に係るイヤホン装置は、先述のイヤーパッドを備えるので、先述の効果を奏することができる。
【発明の効果】
【００５１】
本発明によると、丈夫で、通気性の良いイヤーパッドを提供することができる。
【図面の簡単な説明】
【００５２】
【図１】ユーザの耳の構造を説明するための図である。
【図２】本発明の実施の形態１に係るイヤーパッドの平面図である。
【図３】イヤーパッドとイヤホン装置との連結について説明するための図であり、図３の（ａ）はイヤホン装置にイヤーパッドを取り付ける前の状態を表し、図３の（ｂ）はイヤホン装置にイヤーパッドを取り付けた後の状態を表す。
【図４】本発明の実施の形態２に係るイヤーパッドの構成の一例を示す平面図である。
【図５】本発明の実施の形態３に係るイヤーパッドの構成の一例を示す斜視図である。
【図６】本発明の実施の形態４に係るイヤーパッドの構成の一例を示す斜視図である。
【図７】本発明の実施の形態５に係るイヤーパッドの構成の一例を示す図であり、図７の（ａ）はその斜視図であり、図７の（ｂ）はイヤーパッドの側面図であり、図７の（ｃ）はイヤーパッドの平面図である。
【図８】本発明の実施の形態６に係るイヤーパッドの構成の一例を示す図であり、図８の（ａ）はその斜視図であり、図８の（ｂ）はイヤーパッドの側面図であり、図８の（ｃ）はイヤーパッドの平面図である。
【図９】本発明の実施の形態７に係るイヤーパッドの構成の一例を示す図であり、図９の（ａ）はその斜視図であり、図９の（ｂ）はイヤーパッドの側面線であり、図９の（ｃ）はイヤーパッドの平面図である。
【図１０】図９に示すイヤーパッドの使用例を概念的に描いた図である。
【図１１】本発明の実施の形態８に係るイヤーパッドの構成の一例を示す斜視図である。
【図１２】従来のイヤホン装置を示す図である。
【図１３】従来のイヤーパッドの構成を示す斜視図である。
【発明を実施するための形態】
【００５３】
以下、本発明の実施の形態について、図面を用いて詳細に説明する。なお、以下で説明する実施の形態は、いずれも本発明の好ましい一具体例を示すものである。以下の実施の形態で示される構成要素、及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００５４】
まず、本発明の実施の形態について説明する前に、イヤーパッドが装着される、ユーザの耳の構造について説明する。図１は、ユーザの耳の構造を説明するための図である。
【００５５】
図１に示すように、ユーザの耳には、珠間切痕（ａ）と、対珠（ｂ）と、耳珠（ｃ）と、耳甲介腔（ｄ）と、外耳道（ｅ）と、耳輪脚（ｆ）と、対輪（ｇ）と、耳甲介舟（ｈ）と、三角窩（ｉ）と、舟状窩（ｊ）と、耳輪（ｋ）と、が存在する。
【００５６】
以下、本発明の実施の形態に係るイヤーパッド及びイヤホン装置について説明する。
【００５７】
（実施の形態１）
図２は、本発明の実施の形態１に係るイヤーパッドの平面図である。図３は、イヤーパッドとイヤホン装置との連結について説明するための図であり、図３の（ａ）はイヤホン装置にイヤーパッドを取り付ける前の状態を表し、図３の（ｂ）はイヤホン装置にイヤーパッドを取り付けた後の状態を表す。
【００５８】
なお、以下の説明において、耳の内側に向かう方向を矢印Ｘ１で表し、耳の外側に向かう方向を矢印Ｘ２で表す。また、イヤーパッド１及びイヤホン装置２の左側方向を矢印Ｙ１で現し、右側方向を矢印Ｙ２で表す。さらに、イヤーパッド１及びイヤホン装置２の高さ方向を矢印Ｚで表す。
【００５９】
イヤーパッド１は、耳の内側から外側方向に向かう略円筒形状の本体部１０を備える。本体部１０の中心には、イヤホン装置２に内蔵されたスピーカからの音を通すための音孔１０Ａが設けられている。
【００６０】
また、本体部１０は、イヤーパッド１をユーザの耳孔に嵌めたときに外耳道入口に接近する接近面１０Ｓを有する。
【００６１】
本体部１０の淵（側面）には、本体部１０と同一の材料から構成された突起１１が、本体部１０の淵から本体部１０の径方向外側に突出して形成されている。突起１１の径方向外側端部には、本体部１０と同一の材料からなり、本体部１０を取り囲むように形成された取り囲み部１２が設けられている。これにより、外耳道（ｅ）の入口と耳外方とを繋ぐ空気流通路１３が形成される。
【００６２】
外耳道（ｅ）の入口に溜まった空気は、音孔１０Ａ及び空気流通路１３を通じて、耳外方へ流される。また、音孔１０Ａからの音も、空気流通路１３を通じて、耳外方へ流される。
【００６３】
取り囲み部１２は、少なくとも、ユーザの耳甲介腔（ｄ）に対応する位置に設けられている。すなわち、取り囲み部１２は、ユーザがイヤーパッド１を耳孔に嵌めたときに、耳甲介腔（ｄ）に嵌まり込む位置に設けられている。
【００６４】
耳甲介腔（ｄ）は、外耳道（ｅ）の入口よりも耳の外方側に存在するので、突起１１及び取り囲み部１２は、接近面１０Ｓよりも耳の外方側に設けられている。
【００６５】
また、本体部１０の径は、ユーザの外耳道（ｅ）の入口の径とほぼ同じ大きさとされており、取り囲み部１２の径は、外耳道（ｅ）の径よりも大きく、対珠（ｂ）、外耳輪（ｆ）、及び耳甲介舟（ｈ）で囲まれる範囲の径とほぼ同じ大きさとされている。
【００６６】
このイヤーパッド１は、図２及び図３に示すように、イヤーパッド１を耳孔に嵌めたときに、ユーザの外耳道（ｅ）の入口に接近する接近面１０Ｓを有している。また、イヤーパッド１には、凸部２０が嵌まり込む略円筒形状の中空１４が形成されている。中空１４は、凸部２０がぴったりと嵌まり込むように、凸部２０の径Ｄと同じ径を有している。
【００６７】
一方で、イヤーパッド１には、耳の外側においては、イヤホン装置２の凸部２０が嵌まり込む開口１０Ｂが形成されている。開口１０Ｂの径Ｄ１は、凸部２０が中空１４に嵌まり込んだ状態で凸部２０をしっかりと保持するために、凸部２０の径Ｄより小さな径とされている。
【００６８】
また、イヤホン装置２側では、本体部２００に支持部材２１が形成され、支持部材２１によって凸部２０が支持されている。凸部２０の、耳の外方から内方へ向かう長さＤ２は、凸部２０がイヤーパッド１の中空１４にぴったりと嵌まり込むように、中空１４の、耳の外方から内方へ向かう長さＤ２と同じ長さとされている。
【００６９】
イヤーパッド１の音孔１０Ａは、イヤホン装置２の音孔２０Ａと対応する位置に設けられており、イヤーパッド１を凸部２０に取り付けたときに、音孔１０Ａと音孔２０Ａとがつながる。
【００７０】
イヤホン装置２は、例えば、近距離無線通信規格の１つであるBluetooth（登録商標）（ブルートゥース）によって、イヤホン装置２の装着者の携帯電話機と無線通信することにより、相手方の電話機（携帯電話機或いは固定電話機）から受信した音声をスピーカから出力する。
【００７１】
イヤーパッド１をイヤホン装置２の凸部２０に取り付ける際には、例えば、イヤーパッド１の取り囲み部１２を側方向から押しつぶして開口１０Ｂの高さ方向の径Ｄ１を大きくして、凸部２０の左端及び右端のいずれか一方を開口１０Ｂに入れ込む。すると、凸部２０を入れ込んだ分だけ、開口１０Ｂの左右方向の長さが大きくなるから、ユーザは、その大きくなった部分に、凸部２０の残りの部分（他端側）をはめ込む。その結果、中空１４の径Ｄは開口１０Ｂの径Ｄ１よりも大きく形成されているから、図３の（ｂ）のように、中空１４にイヤホン装置２の凸部２０がしっかりと嵌めこまれた状態となる。
【００７２】
取り囲み部１２は、本体部１０の淵から径方向外側に向かう力を有する。そのため、図３の（ｂ）のようにイヤーパッド１を凸部２０に嵌めこんだ状態で、イヤーパッド１を耳孔に挿入すると、耳孔に取り囲み部１２が嵌まり込む。そして、取り囲み部１２の力により、イヤーパッド１が耳孔に固定される。
【００７３】
このように、本体部と同一の部材からなる、突起１１及び取り囲み部１２によってイヤーパッド１が耳孔に固定されるため、低コストで、イヤーパッド１の装着性を向上させることができる。また、本体部１０と同一の部材からなる、突起１１及び取り囲み部１２によって、外耳道（ｅ）の入口と耳の外部とを繋ぐ空気流通孔１３が形成されるため、低コストで通気性を向上させることができる。
【００７４】
さらに、音孔１０Ａを通じて流れてきた音は、本体部１０と取り囲み部１２との間、つまり、空気流通孔１３を通って耳の外側へ流れるので、ユーザが平衡感覚を失いにくくすることができる。また、イヤーパッド本体部１０、突起１１、及び取り囲み部１２はすべて同一の材料から形成されているので、一体成型が可能で製造性が良く、コストを低減することができる。
【００７５】
さらに、本体部１０には、スリットを形成する等の加工を何ら加えないので、本体部１０の剛性を維持できる。
【００７６】
よって、丈夫で、通気性の良いイヤーパッド１を低コストで提供することができる。
【００７７】
（実施の形態２）
図４は、本発明の実施の形態２に係るイヤーパッドの構成の一例を示す平面図である。このイヤーパッド１Ａは、本体部１０の淵（側面）から本体部１０の径方向外側に向かって突出して形成された、３つの突起１１を有している。３つの突起１１は、接近面１０Ｓよりも外方側（Ｘ軸方向側）に形成されている。各突起１１は、弾性部材で構成されている。
【００７８】
各突起１１のうちいずれか１つの突起１１は、ユーザの耳甲介腔（ｄ）に対応する位置に設けられている。すなわち、前記いずれか１つの突起１１は、ユーザがイヤーパッド１Ａを嵌めたときに、耳甲介腔（ｄ）に嵌まり込むよう構成されている。突起１１を含めたイヤーパッド１Ａの径は、外耳道（ｅ）の径よりも大きく、対珠（ｂ）、外耳輪（ｆ）、及び耳甲介舟（ｈ）で囲まれる範囲の径とほぼ同じ大きさとされている。２つの隣り合う突起１１の間では、空気流通孔１３が形成されている。
【００７９】
この構成によると、イヤーパッド１Ａを耳孔にはめ込んで、本体部１０の接近面１０Ｓを外耳道（ｅ）の入口に接近させた際には、各突起１１のいずれか１つが耳甲介腔（ｄ）に嵌まり込む。そのため、イヤーパッド１の装着性が向上する。また、空気流通孔１３を通じて耳の外部と内部との間で空気が流通するので、通気性が向上する。
【００８０】
さらに、各突起１１は、本体部１０と同一材料で形成されているので、一体成型が可能で製造性が良く、コストを低減することができる。
【００８１】
（実施の形態３）
図５は、本発明の実施の形態３に係るイヤーパッドの構成の一例を示す斜視図である。このイヤーパッド１Ｂは、本体部１０の淵（側面）から本体部１０の径方向外側に向かって突出して形成された４つの突起１１が、本体部１０の中心を基準として９０度ごとに形成されている。４つの突起１１は、接近面１０Ｓよりも外方側（紙面に向かう方向側）に形成されている。
【００８２】
そして、各突起１１の径方向外側の端部には、本体部１０を取り囲むように取り囲み部１２がリング状に形成されている。取り囲み部１２は、ユーザの耳甲介腔（ｄ）に対応する位置に設けられている。また、取り囲み部１２の径は、外耳道（ｅ）の径よりも大きく、対珠（ｂ）、外耳輪（ｆ）、及び耳甲介舟（ｈ）で囲まれる範囲の径とほぼ同じ大きさとされている。
【００８３】
この構成によると、リング状の取り囲み部１２が耳の耳甲介腔（ｄ）（図１参照）に嵌まり込むので、突起１１そのものを耳甲介腔（ｄ）に嵌める場合と比べて、耳甲介腔（ｄ）への圧力が小さくなるので、装着性をより向上させることができる。
【００８４】
（実施の形態４）
図６は、本発明の実施の形態４に係るイヤーパッドの構成の一例を示す斜視図である。このイヤーパッド１Ｃは、１２個の突起１１が、本体部１０の中心を基準として３０度ごとに形成されている。１２個の突起１１は、接近面１０Ｓよりも外方側（紙面に向かう方向側）に形成されている。
【００８５】
この構成によると、耳甲介腔（ｄ）（図１参照）に当たる突起１１の数が、図４のイヤーパッド１Ａよりも増えるため、装着性をより向上させることができる。
【００８６】
（実施の形態５）
図７は、本発明の実施の形態５に係るイヤーパッドの構成の一例を示す図であり、図７の（ａ）はその斜視図であり、図７の（ｂ）はイヤーパッドの側面図であり、図７の（ｃ）はイヤーパッドの平面図である。
【００８７】
このイヤーパッド１Ｄでは、本体部１０の側面には、４つの突起１１（１）〜１１（４）が、本体部１０の中心を基準として９０度毎に形成されている。そして、各突起のうち、右方向（矢印Ｙ２方向）に向かう突起１１（１）は、他の３つの突起１１（１）、１１（２）、及び１１（３）よりも長く形成されている。
【００８８】
そして、各突起の径方向外側の端部には、本体部１０を取り囲むように形成された取り囲み部１２が形成されている。取り囲み部１２の径は、外耳道（ｅ）の径よりも大きく、対珠（ｂ）、外耳輪（ｆ）、及び耳甲介舟（ｈ）で囲まれる範囲の径とほぼ同じ大きさとされている。突起１１（１）〜（４）、及び取り囲み部１２は、接近面１０Ｓよりも外方側（紙面に向かう方向側）に形成されている。
【００８９】
このイヤーパッド１Ｄを耳に装着したときには、突起１１（１）が耳甲介腔（ｄ）側に位置し、突起１１（２）が耳輪脚（ｆ）側に位置し、突起１１（３）が耳珠（ｃ）側に位置し、突起１１（４）が対珠（ｂ）側に位置する。
【００９０】
対珠（ｂ）、耳珠（ｃ）、及び耳輪脚（ｆ）は、耳甲介腔（ｄ）と比べると、外耳道（ｅ）の入口からの距離が小さいので、突起１１（２）、１１（３）及び１１（４）の、本体部１０の径方向の長さを、突起１１（１）の前記径方向の長さよりも小さくしている。
【００９１】
また、対珠（ｂ）、耳珠（ｃ）、及び耳輪脚（ｆ）は、耳甲介腔（ｄ）と比べると、外耳道（ｅ）の入口からの距離が小さいので、取り囲み部１２のうち、突起１１（２）、１１（３）及び１１（４）を連結する部分には、空気の外耳道入口から耳外部への空気の漏れすぎを防ぐために、あまり弾性を持たせていない。
【００９２】
一方で、取り囲み部１２は、突起１１（１）と突起１１（２）とを連結する連結部１２Ａ（１）と、突起１１（１）と突起１１（４）とを連結する連結部１２Ａ（２）とを有する。
【００９３】
連結部１２Ａ（１）及び１２Ａ（２）の各々は、対珠（ｂ）、耳珠（ｃ）、及び耳輪脚（ｆ）よりも、外耳道（ｅ）の入口から遠い箇所にある耳甲介腔（ｄ）に嵌りこむ必要があるから、連結部１２Ａ（１）及び１２Ａ（２）を支持する突起１１（１）の、本体部１０の径方向の長さは、他の突起１１（２）〜（４）の、前記径方向の長さよりも大きな長さとされている。
【００９４】
連結部１２Ａ（１）及び１２Ａ（２）の各々は、弾性部材から構成されている。連結部１２Ａ（１）及び１２Ａ（２）の各々は、各々の弾性により、耳甲介腔（ｄ）にしっかりと嵌まり込む。
【００９５】
この構成によると、弾性部材からなる連結部１２Ａ（１）及び１２Ａ（２）によって、イヤーパッド１がしっかりとユーザの耳甲介腔（ｄ）に嵌まり込むので、装着性が向上する。また、空気流通孔１３を通ってユーザの外耳道（ｅ）入口から耳外部へ向かう空気路が形成されるので、通気性が向上する。
【００９６】
（実施の形態６）
図８は、本発明の実施の形態６に係るイヤーパッドの構成の一例を示す図であり、図８の（ａ）はその斜視図であり、図８の（ｂ）はイヤーパッドの側面図であり、図８の（ｃ）はイヤーパッドの平面図である。
【００９７】
このイヤーパッド１Ｅでは、本体部１０の左右方向と直交する方向の側面には、３つの突起１１Ａが本体部１０の中心線を基準として対称に形成されている。また、本体部１０の側面のうち、本体部１０の右側（矢印Ｙ２方向側）には、突起１１Ａよりも本体部１０の径方向に長い突起１１Ｂが３つ形成されている。突起１１Ａ及び１１Ｂは、接近面１０Ｓよりも外方側（紙面に向かう方向側）に形成されている。
【００９８】
突起１１Ａ、１１Ｂを含めたイヤーパッド１Ｅの径は、外耳道（ｅ）の径よりも大きく、対珠（ｂ）、外耳輪（ｆ）、及び耳甲介舟（ｈ）で囲まれる範囲の径とほぼ同じ大きさとされている。
【００９９】
３つの突起１１Ａは、イヤーパッド１Ｅを耳に装着したときに、外耳道（ｅ）の入口に近い部位（例えば、対珠（ｂ）、耳珠（ｃ）、耳輪脚（ｆ））に位置するが、突起１１Ｂは、外耳道（ｅ）の入口から遠い部位である耳甲介腔（ｄ）に嵌まり込む必要があるので、突起１１Ａよりも長く形成されている。そして、少なくとも突起１１Ｂは、弾性部材で構成されている。
【０１００】
この構成によると、突起１１Ｂが耳甲介腔（ｄ）に嵌まり込むため、イヤーパッド１をしっかりと耳に装着することができる。また、互いに隣り合う２つの突起１１Ａの間、及び、互いに隣り合う２つの突起１１Ａの間には、空気流通路１３が設けられているため、通気性が向上する。
【０１０１】
（実施の形態７）
図９は、本発明の実施の形態７に係るイヤーパッドの構成の一例を示す図であり、図９の（ａ）はその斜視図であり、図９の（ｂ）はイヤーパッドの側面図であり、図９の（ｃ）はイヤーパッドの平面図である。
【０１０２】
このイヤーパッド１Ｆでは、本体部１０の側面に、６つの突起１１Ａ〜１１Ｆが形成されている。突起１１Ａ、１１Ｂは、本体部１０の中心線（ここではＡ−Ａ線）を基準として、突起１１Ｃ、１１Ｄと対称して形成されている。６つの突起１１Ａ〜１１Ｆは、接近面１０Ｓよりも外方側（紙面に向かう側）に形成されている。
【０１０３】
そして、突起１１Ａと突起１１Ｂとを連結部１５Ａが連結し、突起１１Ｃと突起１１Ｄとを連結部１５Ｂが連結し、突起１１Ｅと突起１１Ｆとを連結部１５Ｃが連結している。
【０１０４】
連結部１５Ａ及び１５Ｂは、イヤーパッド１を耳に装着したときには、外耳道（ｅ）の入口に近い部位（例えば、対珠（ｂ）、耳珠（ｃ）、耳輪脚（ｆ））に位置するため、突起１１Ａ〜１１Ｄは、あまり本体部１０の径方向の長さを必要とはしない。しかしながら、連結部１５Ｃは、外耳道（ｅ）の入口から遠い部位である耳甲介腔（ｄ）に嵌まり込む必要があるので、突起１１Ｅ及び１１Ｆは、突起１１Ａから１１Ｄよりも、本体部１０の径方向に長く形成されている。そして、少なくとも、突起１１Ｅ、１１Ｆ、及び連結部１５Ｃは、弾性部材で構成されている。
【０１０５】
この構成によると、弾性力を有する突起１１Ｅ、１１Ｆ、及び連結部１５Ｃが耳甲介腔（ｄ）に嵌まり込むため、イヤーパッド１をしっかりと耳に装着することができる。また、突起１１Ａと突起１１Ｂとの間、突起１１Ｃと突起１１Ｄとの間、及び、突起１１Ｅと突起１１Ｆとの間に空気流通路１３が形成されているので、通気性が向上する。
【０１０６】
図１０は、図９に示すイヤーパッド１Ｆの使用例を概念的に描いた図である。イヤーパッド１Ｆがユーザの耳に装着されたとき、連結部１５Ａが耳輪脚（ｆ）に当たり、連結部１５Ｂが対珠（ｂ）に当たり、連結部１５Ｃ、及び、突起１１Ｅ、１１Ｆが耳甲介腔（ｄ）に嵌まり込む。
【０１０７】
その状態で、空気流通孔１３を通じて、外耳道（ｅ）の入口と耳外側との間で空気が流通するから、イヤーパッド１Ｆの装着性が良い。また、弾性を有する突起１１Ｅ、１１Ｆ、及び連結部１５Ｃがバネのように耳甲介腔（ｄ）に嵌りこんでいるので、イヤーパッド１Ｆをしっかりと耳に装着することができる。
【０１０８】
（実施の形態８）
図１１は、本発明の実施の形態８に係るイヤーパッドの構成の一例を示す斜視図である。
【０１０９】
このイヤーパッド１Ｇでは、接近面１０Ｓから当該接近面１０Ｓに対して垂直方向、つまり、接近面１０Ｓからユーザの外耳道（ｅ）の入口に向かう方向に、４つの突起１１Ｇが形成されている。この構成によっても、４つの突起１１Ｇによって、ユーザの外耳道（ｅ）の入口と耳外部とを繋ぐ空気流通孔が形成されるので、イヤーパッド１Ｇの装着性を向上させることができる。
【産業上の利用可能性】
【０１１０】
本発明は、相手先の電話機とハンズフリー通話が可能な携帯電話機のイヤホン装置に適用できる。
【符号の説明】
【０１１１】
１、１Ａ〜１Ｇ  イヤーパッド
１０  イヤーパッドの本体部
１０Ａ  イヤーパッドの音孔
１０Ｓ  イヤーパッドの接近面
１１、１１Ａ〜１１Ｇ  イヤーパッドの突起
１２  取り囲み部
１２Ａ（１）、１２Ａ（２）、１５Ａ〜１５Ｃ  連結部
２  イヤホン装置
２００  イヤホン装置の本体部
２０  イヤホン装置の突起
（ａ）  珠間切痕
（ｂ）  対珠
（ｃ）  耳珠
（ｄ）  耳甲介腔
（ｅ）  外耳道
（ｆ）  耳輪脚
（ｇ）  対輪
（ｈ）  耳甲介舟
（ｉ）  三角窩
（ｊ）  舟状窩
（ｋ）  耳輪
【図１】
2014207617.tif 000003
【図２】
2014207617.tif 000004
【図３】
2014207617.tif 000005
【図４】
2014207617.tif 000006
【図５】
2014207617.tif 000007
【図６】
2014207617.tif 000008
【図７】
2014207617.tif 000009
【図８】
2014207617.tif 000010
【図９】
2014207617.tif 000011
【図１０】
2014207617.tif 000012
【図１１】
2014207617.tif 000013
【図１２】
2014207617.tif 000014
【図１３】
2014207617.tif 000015